(57)【要約】【課題】室内空間を浮遊する浮遊菌および、床面、壁面、物体の表面などの様々な場所に付着している付着菌を、確実に殺菌する室内殺菌装置を提供する。【解決手段】室内殺菌装置１は、筐体２１と、室内の壁面であって、人の身長より高い場所の壁面に筐体を取り付けるための取付部５と、前記筐体２１に設けられ、床面に対する水平方向よりも下方に紫外線を照射可能な下方照射ユニット３と、前記室内の人体の存在又は不存在に基づいて、前記下方照射ユニット３による紫外線の照射を制御する制御部６を備える。【選択図】図１
2018130535.tif 000002
【特許請求の範囲】
【請求項１】
筐体と、
室内の壁面であって、人の身長より高い場所の壁面に筐体を取り付けるための取付部と、
前記筐体に設けられ、床面に対する水平方向よりも下方に紫外線を照射可能な下方照射ユニットと、
前記室内の人体の存在又は不存在に基づいて、前記下方照射ユニットによる紫外線の照射を制御する制御部を備えた、室内殺菌装置。
【請求項２】
前記制御部は、前記室内に人が存在する場合には、前記下方照射ユニットから紫外線を室内に照射しない制御をする、請求項１に記載の室内殺菌装置。
【請求項３】
前記筐体に設けられ、水平方向に紫外線を照射する水平照射ユニットを備える、請求項１又は２に記載の室内殺菌装置。
【請求項４】
前記制御部は、前記水平照射ユニットによる紫外線の照射を制御するものであって、前記室内に人が存在しない場合には、前記水平照射ユニットおよび前記下方照射ユニットの紫外線照射を行い、前記室内に人が存在する場合は前記水平照射ユニットの紫外線照射を行う請求項１から３のいずれか記載の室内殺菌装置。
【請求項５】
前記下方照射ユニットは、
紫外線を照射する第１光源と、
前記第１光源が照射する紫外線の照射方向を前記水平方向より下方に絞る第１絞り部材と、を備える、請求項１から４のいずれか記載の室内殺菌装置。
【請求項６】
前記第１絞り部材は、前記第１光源からの紫外線の照射方向を２以上の異なる照射方向に絞る、請求項１から５のいずれか記載の室内殺菌装置。
【請求項７】
前記第１光源は、所定の幅で長手方向に延びる側面を備えた長手部材からなり、前記側面から前記第１絞り部材に向かって前記紫外線を照射するものであって、前記側面の方向が前記水平方向より下方に向いている、請求項１から６のいずれか記載の室内殺菌装置。
【請求項８】
前記水平照射ユニットは、
紫外線を照射する第２光源と、
前記第２光源が照射する紫外線の照射方向を水平方向に絞る第２絞り部材と、を備える、請求項３から７のいずれか記載の室内殺菌装置。
【請求項９】
前記室内に空気を送るファンユニットであって、吸気口と、前記吸気口と所定距離をおいて設けられた排気口とを具備するファンユニットを備える、請求項１から９のいずれか記載の室内殺菌装置。
【発明の詳細な説明】
【技術分野】
【０００１】
本発明は、室内の空気に含まれる細菌やウイルスを殺菌できる室内殺菌装置に関する。
【背景技術】
【０００２】
住宅、オフィス、ビル、公共施設、病院、介護施設などの様々な施設においては、様々な人が利用するために、衛生面の対応が重要となる。近年、耐性菌の発生などもあり、細菌やウイルスによる感染症や健康への影響が懸念されている。加えて、近年では、衛生志向の強さによって、多くの人の細菌やウイルスに対する抵抗力が弱まっている傾向がある。
【０００３】
また、これらの施設は、複数の人が出入りしたり、不特定の来訪者が出入りしたりする。このため、これらの複数の人の出入りによって、外部から細菌やウイルスが持ち込まれることも多い。加えて、これらの施設は、複数の部屋に区分されている。このような部屋は、一定の広さに仕切られており、侵入した細菌やウイルスが残留しやすい。これらの残留した細菌やウイルスは、室内にいる人の健康へ影響を与える可能性がある。
【０００４】
あるいは、この細菌やウイルスの影響を受けた人が、保有している細菌などを咳やくしゃみによって吐き出して、更に室内に細菌やウイルスが増えてしまうこともある。
【０００５】
病院や介護施設では、病人や老人などのように抵抗力の弱い患者等がおり、衛生面の対応が強く求められる。あるいは、住宅、オフィス、ビル、公共施設などの室内においても、上述のような状況によって、細菌やウイルスに対する衛生面の維持が求められる。特に、近年の衛生志向によって、多くの人が細菌やウイルスに対する耐久性を低下させてしまっている。このような状況では、様々な施設において、細菌やウイルスを軽減することが必要になってきている。
【０００６】
このような施設においては、広い共有空間はもちろんのこと、上述のような仕切られた部屋においての細菌やウイルスの影響を軽減する必要性が高い。特に仕切られた部屋における人の滞在時間は長いので、このような細菌やウイルスが多い室内にいることは、健康への悪影響が懸念される。
【０００７】
このような室内の細菌やウイルスの影響を軽減するために、特殊物質の放出により空中浮遊状態の細菌やウイルスを抑制する空気清浄装置が販売されている。例えば、イオン粒子やナノ粒子といった特殊物質を電気的に放出して、室内を浮遊する細菌やウイルスを軽減することがうたわれている。
【０００８】
しかしながら、このような特殊物質を放出する空気清浄装置は、非特許文献１に開示されるように、ウイルスの一種としてのインフルエンザウイルスを積極的に失活させるような結果はほとんど認められない。他のウイルスも同様である。
【０００９】
多くの施設において、このような空気清浄装置が使用されているが、上述のような理由で、細菌やウイルスの軽減効果は不十分である。このため、室内における細菌やウイルスの悪影響防止に不十分である問題がある。
【００１０】
このような状況で、紫外線などを用いて細菌やウイルスを殺菌する技術が提案されている（例えば、特許文献１、特許文献２、特許文献３参照）。
【先行技術文献】
【特許文献】
【００１１】
【非特許文献１】日本環境感染学会誌  Ｖｏｌ．２７、Ｎｏ、５、２０１２  「殺菌力を謳う各種空気清浄電気製品の、塗布乾燥状態の細菌に対する効果の有無の検証」
【特許文献１】特開２００５−４６５９２号公報
【特許文献２】特開２００４−２８３５４５号公報
【特許文献３】特開平８−２８０７７９号公報
【発明の概要】
【発明が解決しようとする課題】
【００１２】
特許文献１は、床面を周回的に走行して紫外線を装置下方に向けて照射し、床面を殺菌するロボット掃除機を開示する。いわゆる、市販されているロボット掃除機の集塵機能の代わりに紫外線を装置下方に向けて照射する機能を備えたロボット掃除機である。特許文献１に開示されるロボット掃除機は、床面を周回状に走行しながら紫外線によって床面を殺菌することで、床面に残存しやすい病原菌やウイルスの問題を解決する。
【００１３】
しかしながら、特許文献１に開示されるロボット掃除機は、床面を周回状に走行するだけであり、床面を満遍なく走行することができない。このため、走行できない領域を殺菌できない問題を有している。特に、特許文献１に開示されるロボット掃除機は、ロボット本体から本体直下の床面に向けて紫外線を照射するだけである。この照射範囲も相まって、走行できない領域を殺菌できない。殺菌できない領域が残ることで、床面に残存している病原菌やウイルスの問題は解消しないままである。
【００１４】
また、床面に付着している細菌等を殺菌することはできても、室内に浮遊している浮遊菌を殺菌することはできない。あるいは床面以外の物体（例えば家具やベッドなど）の表面に付着している付着菌を殺菌することができない。室内において健康被害をもたらす細菌やウイルスは、室内空間を浮遊していたり、床面、壁面、物体の表面の様々なところに付着していたりする。このような浮遊菌や付着菌の多くを殺菌することが、衛生上求められているが、特許文献１の技術では、床面の一部の付着菌にしか対応できない問題がある。
【００１５】
特許文献２は、掃除用のブラシで床面を掃除しつつ紫外線を照射して床面を殺菌する掃除機を開示する。特許文献１と同様に紫外線によって、床面を殺菌することを目的としている。
【００１６】
しかしながら、特許文献２の図から明らかな通り、特許文献２に開示される掃除機は、掃除機がブラシによってごみを集塵する集塵位置に対して紫外線を照射するに過ぎない。このため、特許文献１と同様に、特許文献２に開示される掃除機も、掃除を行った底面に対応する床面のみしか殺菌ができない。この結果、床面において殺菌できない領域が残り、残存する病原菌やウイルスの問題が解消しないままである。
【００１７】
特許文献２の技術も、特許文献１と同じく、室内の浮遊菌、床面、壁面、物体の様々な表面に付着している付着菌の多くを、殺菌できない問題がある。これらの多くを殺菌できず、掃除をした一部のみを殺菌できるに過ぎなければ、室内の衛生状態を高く維持することができない。
【００１８】
特許文献３は、移動可能であって、床面を紫外線で殺菌する技術を開示する。
【００１９】
しかしながら、特許文献３も特許文献１、２と同様に、走行した底面しか殺菌できない問題を有している。
【００２０】
当然に、特許文献１、２、と同じく、室内の浮遊菌、床面、壁面、物体の様々な表面に付着している付着菌の多くを、殺菌できない問題がある。これらの多くを殺菌できず、掃除をした一部のみを殺菌できるに過ぎなければ、室内の衛生状態を高く維持することができない。
【００２１】
発明者の分析によれば、室内空間において問題となる細菌やウイルスでは、室内空間を浮遊する浮遊菌、様々な物体の表面に付着している付着菌の両方があり、これら双方を確実に殺菌することが、衛生状態の向上と維持に必要となっている。
【００２２】
本発明は、上記課題に鑑み、室内空間を浮遊する浮遊菌および、床面、壁面、物体の表面などの様々な場所に付着している付着菌を、確実に殺菌する室内殺菌装置を提供することを目的とする。
【課題を解決するための手段】
【００２３】
かかる課題を解決するために本発明の室内殺菌装置は、筐体と、室内の壁面であって、人の身長より高い場所の壁面に筐体を取り付けるための取付部と、前記筐体に設けられ、床面に対する水平方向よりも下方に紫外線を照射可能な下方照射ユニットと、前記室内の人体の存在又は不存在に基づいて、前記下方照射ユニットによる紫外線の照射を制御する制御部を備える。
【００２４】
前記制御部は、前記室内に人が存在する場合には、前記下方照射ユニットから紫外線を室内に照射しない制御をすることが好ましい。
【００２５】
前記筐体に設けられ、水平方向に紫外線を照射する水平照射ユニットを備えることが好ましい。
【００２６】
前記制御部は、前記水平照射ユニットによる紫外線の照射を制御するものであって、前記室内に人が存在しない場合には、前記水平照射ユニットおよび前記下方照射ユニットの紫外線照射を行い、前記室内に人が存在する場合は前記水平照射ユニットの紫外線照射を行うことが好ましい。
【００２７】
前記下方照射ユニットは、紫外線を照射する第１光源と、前記第１光源が照射する紫外線の照射方向を前記水平方向より下方に絞る第１絞り部材とを備えることが好ましい。
【００２８】
前記第１絞り部材は、前記第１光源からの紫外線の照射方向を２以上の異なる照射方向に絞ることが好ましい。
【００２９】
前記第１光源は、所定の幅で長手方向に延びる側面を備えた長手部材からなり、前記側面から前記第１絞り部材に向かって前記紫外線を照射するものであって、前記側面の方向が前記水平方向より下方に向いていることが好ましい。
【００３０】
前記水平照射ユニットは、紫外線を照射する第２光源と、前記第２光源が照射する紫外線の照射方向を水平方向に絞る第２絞り部材とを備えることが好ましい。
【００３１】
前記室内に空気を送るファンユニットであって、吸気口と、前記吸気口と所定距離をおいて設けられた排気口とを具備するファンユニットを備えることが好ましい。
【発明の効果】
【００３２】
本発明の室内殺菌装置は、室内空間に浮遊する浮遊菌および様々な場所に付着する付着菌を、確実に殺菌できる。浮遊菌および付着菌を確実に殺菌できることで、室内空間の衛生状態を高めることができる。
【００３３】
例えば、病室の入院患者の入れ替え時のような場合において、短時間で室内の浮遊菌および付着菌を一度に殺菌できる。この結果、入れ替え時の受け入れ作業を確実化、短時間化することができる。
【００３４】
また、室内に人が存在することを検出して、人体への紫外線の照射を防止して、人体への影響を抑えることもできる。
【図面の簡単な説明】
【００３５】
【図１】本発明の実施の形態１における室内殺菌装置の斜視図である。
【図２】本発明の実施の形態１における室内殺菌装置が設置された室内を示す模式図である。
【図３】本発明の実施の形態１における室内殺菌装置が設置された室内を示す模式図である。
【図４】本発明の実施の形態１における室内殺菌装置が設置された室内の模式図である。
【図５】本発明の実施の形態１における水平照射ユニットの側面図である。
【図６】本発明の実施の形態１における第１光源の側面図である。図７は、本発明の実施の形態１における第１光源の正面図である。
【図７】本発明の実施の形態１における第１光源の正面図である。
【図８】本発明の実施の形態１におけるスリットの側面図である。
【図９】本発明の実施の形態１における室内殺菌装置が取り付けられた室内の模式図である。
【図１０】本発明の実施の形態１における下方照射ユニットの側面図である。
【図１１】本発明の実施の形態１における下方照射ユニットの別形態の側面図である。
【図１２】本発明の実施の形態１における下方照射ユニットの斜視図である。
【図１３】本発明の実施の形態２におけるファンユニットの斜視図である。
【発明を実施するための形態】
【００３６】
本発明の第１の発明に係る室内殺菌装置は、室内の略水平方向に紫外線を照射する水平照射ユニットと、
室内の斜め下方および下方の少なくとも一方に紫外線を照射する下方照射ユニットと、
水平照射ユニットと下方照射ユニットを接続して本体部を構成する接続部と、
本体部を壁面に取り付け可能な取付け部と、
水平照射ユニットと下方照射ユニットのそれぞれの紫外線照射を制御する制御部と、を備え、
制御部は、室内の人体の存在および室内の清浄化の必要性の少なくとも一つに基づいて、水平照射ユニットおよび下方照射ユニットの紫外線照射を制御する。
【００３７】
この構成により、室内空間を万遍なく殺菌できる。特に、病室での病人の入れ替え時に短時間で清浄化を必要とする場合でも、浮遊菌、付着菌を確実に殺菌できる。また、状況に応じた殺菌と人体保護とが行える。
【００３８】
本発明の第２の発明に係る室内殺菌装置では、第１の発明に加えて、取付け部は、水平照射ユニットを、室内の上方であって人体の身長より高い場所に取り付ける。
【００３９】
この構成により、人体に水平方向の紫外線を照射しないようにできる。
【００４０】
本発明の第３の発明に係る室内殺菌装置では、第１または第２の発明に加えて、水平照射ユニットは、
紫外線を発する第１光源と、
第１光源の裏面で紫外線を反射する第１反射部と、
第１光源の正面に設けられる第１絞り部材と、を備え、
第１絞り部材は、複数のスリットを有して、紫外線の照射範囲の絞りおよび紫外線の照射方向の制御の少なくとも一つを行う。
【００４１】
この構成により、水平照射ユニットは、水平方向絞り込んでに紫外線を照射できる。
【００４２】
本発明の第４の発明に係る室内殺菌装置では、第３の発明に加えて、第１絞り部材は、第１光源からの紫外線の照射方向を、室内において略水平とする。
【００４３】
この構成により、水平方向に存在する浮遊菌を殺菌でき、人体への紫外線の照射も防止できる。
【００４４】
本発明の第５の発明に係る室内殺菌装置では、第３または第４の発明に加えて、複数のスリットにおいて、下方のスリットの間隔は、上方のスリットの間隔よりも広い。
【００４５】
この構成により、浮遊菌の存在しやすい位置への紫外線量を多くできる。
【００４６】
本発明の第６の発明に係る室内殺菌装置では、第３から第５のいずれかの発明に加えて、第１絞り部材を通じて照射される紫外線の照射範囲に対応して、水平照射ユニットの対向する壁に反射板を、更に備える。
【００４７】
この構成により、水平照射ユニットが照射する範囲での紫外線量を多くすることができる。
【００４８】
本発明の第７の発明に係る室内殺菌装置では、第１から第６のいずれかの発明に加えて、下方照射ユニットは、
紫外線を発する第２光源と、
第２光源の裏面で紫外線を反射する第２反射部と、
第２光源の正面および下方の少なくとも一部に設けられる第２絞り部材と、を備え、
第２絞り部材は、複数のスリットを有して、紫外線の照射範囲の絞りおよび紫外線の照射方向の制御の少なくとも一つを行う。
【００４９】
この構成により、下方照射ユニットは、斜め下方および下方の少なくとも一部に効率的に紫外線を照射できる。
【００５０】
本発明の第８の発明に係る室内殺菌装置では、第７の発明に加えて、第２光源の正面に設けられる第２絞り部材は、第２光源からの紫外線の照射方向を斜め下方に制御し、
第２光源の下方に設けられる第２絞り部材は、第２光源からの紫外線の照射方向を斜め下方および下方の少なくとも一方に制御する。
【００５１】
この構成により、下方照射ユニットは、斜め下方および下方に確実に紫外線を照射できる。
【００５２】
本発明の第９の発明に係る室内殺菌装置では、第８の発明に加えて、第２絞り部材により、第２光源は、下方から斜め下方の広範囲に紫外線を照射できる。
【００５３】
この構成により、広い範囲の浮遊菌や付着菌を殺菌できる。
【００５４】
本発明の第１０の発明に係る室内殺菌装置では、第１から第９のいずれかの発明に加えて、本体部に装着可能であり、室内に空気対流を生じさせるファンユニットを更に備える。
【００５５】
この構成により、室内に対流を生じさせ、浮遊菌を殺菌できる位置に移動させると共に付着菌をはぎ取って浮遊させることができる。結果として、紫外線照射によって殺菌をより容易にできる。
【００５６】
本発明の第１１の発明に係る室内殺菌装置では、第１０の発明に加えて、ファンユニットは、室内の上方から空気を吸引し、下方に空気を放出する。
【００５７】
この構成により、室内殺菌装置と反対側において、下から上に向けた気流を生じさせ、床面付近の浮遊菌や付着菌を上昇させることができる。この上昇によって、紫外線量の多い部分で殺菌できる。
【００５８】
本発明の第１２の発明に係る室内殺菌装置では、第１０または第１１の発明に加えて、ファンユニットは、水平照射ユニットの内部空間および下方照射ユニットの内部空間の少なくとも一部の空気を、外気と循環させる。
【００５９】
この構成により、水平照射ユニットと下方照射ユニット内部でも細菌等を殺菌できる。
【００６０】
本発明の第１３の発明に係る室内殺菌装置では、第１から第１２のいずれかの発明に加えて、制御部は、室内に人が存在する場合には、下方照射ユニットの紫外線の照射を停止する。
【００６１】
この構成により、人体への影響を生じさせないで済む。
【００６２】
本発明の第１４の発明に係る室内殺菌装置では、第１から第１３のいずれかの発明に加えて、制御部は、室内に人が存在しない場合には、水平照射ユニットおよび下方照射ユニットの紫外線照射を行う。
【００６３】
この構成により、人体への影響がない場合には、室内空間を万遍なく殺菌できる。
【００６４】
以下、図面を参照しながら、本発明の実施の形態を説明する。
【００６５】
（発明者による分析）
従来技術で説明した従来技術や、室内での実際の殺菌の状況を、発明者は分析した。この分析を通じて、発明者は次のような所見を得るに至った。
【００６６】
（所見１）従来技術の紫外線の照射によって細菌やウイルスを殺菌できるが、物体の表面に付着した付着菌や床面などに落下した落下菌の殺菌が不十分であることが多い。
【００６７】
（所見２）所見１のように、室内空間には、室内空間を浮遊する浮遊菌、物体の表面に付着した付着菌（落下菌も含む）とが存在する。
【００６８】
（所見３）病院の病室では、入院患者が退院してから次の患者が入室するまでに、極めて短時間の間に、病室を清浄化する必要がある。このような場合に、浮遊菌、付着菌を含めて、短時間で殺菌することが求められている。
【００６９】
このような、所見から必要となる室内殺菌装置を、発明者は発明するに至った。
【００７０】
（実施の形態１）
【００７１】
（全体概要）
本発明の実施の形態１における室内殺菌装置の全体概要を説明する。図１は、本発明の実施の形態１における室内殺菌装置の斜視図である。図２は、本発明の実施の形態１における室内殺菌装置が設置された室内を示す模式図である。図３は、本発明の実施の形態１における室内殺菌装置が設置された室内を示す模式図である。
【００７２】
室内殺菌装置１は、水平照射ユニット２、下方照射ユニット３、接続部８、取付け部５、制御部６と、を備える。なお、図１は、室内殺菌装置１の外観を示しており、制御部６は、実際にはこの内部に含まれるので、外観上は見えない。図１では、理解の容易性のために、制御部６を要素として示している。また、図１では、実施の形態２で説明される追加的要素であるファンユニット４も示している。
【００７３】
図１に示される室内殺菌装置１は、図２、図３に示されるように、室内１００に取付けられて使用される。
【００７４】
水平照射ユニット２は、室内１００の略水平方向に紫外線を照射する。略水平方向であるので、例えば、図２のように室内１００の壁面に取り付けられると、その場所から正面に向けて紫外線を照射できる。
【００７５】
下方照射ユニット３は、室内１００の斜め下方および下方の少なくとも一方に紫外線を照射する。下方照射ユニット３は、水平照射ユニット２と異なり、室内１００の斜め下や下の方向に紫外線を照射できる。図２では、壁面に取り付けられた室内殺菌装置１において、下方照射ユニット３が、取り付け位置から斜め下方や下方向に紫外線を照射している。
【００７６】
このように水平照射ユニット２と下方照射ユニット３とが備わっていることにより、室内１００において壁面に取り付けられた室内殺菌装置１は、室内１００全体に紫外線を照射できるようになる。
【００７７】
接続部８は、水平照射ユニット２と下方照射ユニット３を接続する。水平照射ユニット２と下方照射ユニット３とは、別要素であり、これらを接続することで、本体部７が構成できる。水平照射ユニット２と下方照射ユニット３とは、別要素であることで、組み合わせの自由度が生じ、室内殺菌装置１のフレキシビリティが向上する。この場合には、接続部８が、この組み合わせを実現できる。
【００７８】
もちろん、水平照射ユニット２と下方照射ユニット３とが一体で構成されて、機能の異なる部分が含まれているとの構造であってもよい。
【００７９】
取付け部５は、本体部７を壁面に取り付け可能である。取付け部５が本体部７を取り付けることで、図２、図３のように、室内１００の壁面に室内殺菌装置が取り付けられる。ここで、本体部７は、水平照射ユニット２と下方照射ユニット３との組み合わせの構成、水平照射ユニット２もしくは下方照射ユニット３のいずれかの構成、組み合わせにファンユニット４も付いている状態、のいずれかである。
【００８０】
制御部６は、水平照射ユニット２と下方照射ユニット３のそれぞれの紫外線照射を制御する。制御部６は、水平照射ユニット２や下方照射ユニット３に組み込まれている要素でもよいし、これらとは別に室内殺菌装置に組み込まれている要素でもよい。
【００８１】
制御部６は、室内１００での人体の存在および室内１００の清浄化の必要性の少なくとも一つに基づいて、水平照射ユニット２および下方照射ユニット３の紫外線照射を制御する。この制御によって室内殺菌装置１は、室内１００の必要な部分、可能な部分に紫外線を照射して、細菌やウイルスを低減することができる。
【００８２】
（動作説明）
図２、図３、図４を用いて室内殺菌装置１の動作を説明する。
【００８３】
（浮遊菌、付着菌への対応）
図２は、室内１００に物体１０２が設置されている状態を示している。室内１００は、例えば病室であり、物体１０２は、机とベッドなどである。図２では、室内１００に物体１０２が設置されている。室内１００に病人がいたばかりの状態では、病人を介した細菌やウイルスが、室内１００に存在している。この場合では、細菌等は、発明者の分析で説明したように、室内１００の内部空間を浮遊する浮遊菌５０と、物体１０２の表面や床面１０１に落下して付着している付着菌５１とを含む。
【００８４】
図２では、室内１００において、浮遊菌５０と付着菌５１とが存在している状態を示している。一例としては、入院患者が退室したばかりの病室が、図２で示される室内１００である。すなわち、次の入院患者が入るまでの短い時間において、室内１００を清浄化する必要がある状態である。
【００８５】
一方、図３は、例えば物体１０２が無い室内１００を示している。例えば、病室であってもベッドや机が運びだされていたり、机などがない部屋などがありえる。このような場合には、室内１００においては、浮遊菌５０は存在するが、付着菌５１はほとんど存在しない状態があり得る。あるいは、図２のように物体１０２が設置されていても、物体１０２や床面１０１に付着菌５１がほとんど存在していない状態があり得る。
【００８６】
このような状態では、浮遊菌５０が主として存在している。
【００８７】
図４は、本発明の実施の形態１における室内殺菌装置が設置された室内の模式図である。図４では、室内１００に人２００が在室している状態が示されている。図４の室内１００には、浮遊菌５０が存在する。また、床面１０１や物体１０２の表面に付着菌５１が存在している可能性もある（図４では、物体１０２の表面に付着菌５１が示されている）。
【００８８】
室内１００の内部状態（細菌等の存在、人２００の存在、清浄化の必要性など）は、図２〜図４のように様々である。
【００８９】
図２の状態では、短い時間で室内１００を殺菌して清浄化することが求められる。制御部６は、室内殺菌装置１に含まれる水平照射ユニット２と下方照射ユニット３との両方の紫外線照射を行わせる。図２に示されるように、水平照射ユニット２から略水平方向に紫外線が照射される。この略水平方向の紫外線の照射によって、室内１００内部空間のこの高さにある浮遊菌５０を殺菌できる。
【００９０】
また、制御部６は、下方照射ユニット３からの紫外線照射を行わせる。図２では、下方照射ユニット３が、斜め下方および下方に向けて紫外線を照射している。室内殺菌装置１が取り付けられた壁面を基準として、斜め下方および下方に、紫外線を照射する。
【００９１】
下方照射ユニット３が、斜め下方および下方に紫外線を照射することで、室内１００の下方の空間にある浮遊菌５０や付着菌５１を殺菌できる。このとき、図２に示されるように、付着菌５１は、物体１０２の表面や床面１０１などの様々な場所に付着している。これらの様々な場所に付着している付着菌５１を、斜め下方や下方に向けた紫外線の照射によって、様々な場所に付着している付着菌５１をも確実に殺菌できる。
【００９２】
上述したように、例えば、入院患者が退室したばかりの病室であって次の入院患者を受け入れるまでの状態が、図２で示される室内１００である。この場合には、次の入院患者を受け入れるまでの短時間で、室内１００の清浄化を行う必要がある。
【００９３】
このような場合に、実施の形態１の室内殺菌装置１は、水平照射ユニット２による水平方向の紫外線の照射と、下方照射ユニット３による斜め下方および下方への紫外線の照射によって、室内１００の浮遊菌５０と付着菌５１を、十分に殺菌できる。結果として、短時間かつ確実な清浄化を実現できる。制御部６は、水平照射ユニット２と下方照射ユニット３の両方を動作させて、紫外線を照射する。また、必要に応じて、紫外線の照射レベルを上げるなども行う。
【００９４】
（浮遊菌のみへの対応）
図３においては、室内１００において浮遊菌５０は存在しているが、付着菌５１がほとんどない状態である。このような室内１００においては、制御部６は、水平照射ユニット２のみを動作させて水平方向の紫外線を照射する（あるいは、下方照射ユニット３からの紫外線照射を弱レベルとする）。図３は、この状態を示している。
【００９５】
浮遊菌５０が殆どである場合には、水平照射ユニット２による紫外線照射のみとすることで、効率的に細菌等を殺菌しつつ、必要となるエネルギーを節減できる。制御部６が、このような照射を制御する。
【００９６】
（人体２００が存在する場合）
図４は、付着菌がありつつも人体２００が存在している場合を示している。もちろん、付着菌５１が存在しているかいないかに係らず、人体２００が存在している場合も含む。図４では、物体１０２の表面に付着菌５１が存在している状態を示しているが、付着菌５１が存在していない場合もありえる。
【００９７】
ここで、取付け部５は、水平照射ユニット２を、室内１００の上方であって、人体２００の身長より高い位置に取り付ける。この位置に取り付けられることで、水平照射ユニット２から略水平方向に照射される紫外線は、人体２００の上を照射する。
【００９８】
制御部６は、室内１００に人体２００が存在する場合には、下方照射ユニット３の動作を停止して、下方照射ユニット３から紫外線を照射させないように制御する。一方で、制御部６は、水平照射ユニット３を動作させて、略水平方向に紫外線を照射する。すなわち、図４に示されるように、室内殺菌装置１は、室内１００の上方（人体２００の上方）において、略水平方向に紫外線を照射する。
【００９９】
この紫外線照射状態によって、浮遊菌５０を殺菌することができる。一方で、下方照射ユニット３から斜め下方や下方への紫外線照射が停止されるので、人体２００に紫外線を直接照射する心配がない。この結果、人体２００への紫外線による悪影響を防止できる。
【０１００】
制御部６は、人体２００を検知する検知センサーを備えており、室内１００に人体２００が存在するかどうかを検知する。この検知結果により、室内１００に人体２００が存在する場合には、下方照射ユニット３の動作を停止させる。検知センサーは、制御部６が備えるのではなく、室内１００に備わっており、制御部６はこの検知センサーの検知結果を取得可能とすることでもよい。
【０１０１】
例えば、室内１００に人体２００が入ってきた場合には、制御部６は、下方照射ユニット３の動作を停止させ、室内１００から人体２００が退室して室内１００に存在しない状態になったら、制御部６は、下方照射ユニット３の動作を起動させればよい。
【０１０２】
また、制御部６は、水平照射ユニット２からの水平方向の紫外線照射は、基本として常時動作させておいてもよい。室内１００の衛生状態を維持できるからである。この水平照射ユニット２の常時動作に合わせて、室内１００に人体２００が存在しない場合には、制御部６は、下方照射ユニット３を動作させる。この動作によって、下方照射ユニット３は、斜め下方および下方に紫外線を照射でき（図２の状態）、室内１００の浮遊菌５０および付着菌５１を、万遍なく殺菌できるようになる。
【０１０３】
以上のように、実施の形態１における室内殺菌装置１は、室内１００に存在する浮遊菌５０や付着菌５１を万遍なく確実に殺菌できる。病室のように、入院患者の入れ替え時などの短時間においても、室内１００を清浄化できる。他の室内１００においても、同様である。加えて、人体２００が存在する場合には、水平方向の紫外線照射のみとして、浮遊菌５０を殺菌して衛生状態を維持しつつも、人体への影響を生じさせないようにできる。結果として、ヒューマンフレキシブルな室内殺菌ができる。
【０１０４】
次に、各部の詳細について説明する。
【０１０５】
（水平照射ユニット）
図５は、本発明の実施の形態１における水平照射ユニットの側面図である。図５は、水平照射ユニット２の内部構造が分かるように、内部を可視状態で示している。実際の室内殺菌装置１においては、外部は筐体２１で覆われている。
【０１０６】
水平照射ユニット２は、全体の外形を形成して内部の要素を格納する筐体２１と、第１光源２２と、第１反射部２３と、第１絞り部材２４と、を備える。
【０１０７】
第１光源２２は、紫外線を発する。第１光源２２は、紫外線領域の光を発する蛍光管などの部材である。このような部材によって、第１光源２２は、紫外線を発して、水平照射ユニット２としての紫外線照射を実現する。
【０１０８】
第１反射部２３は、第１光源２２の裏面に設けられる。第１反射部２３は、紫外線を反射できる反射板などの部材であり、第１光源２２から裏面に向けて発せられた紫外線を反射する。第１光源２２は、前方にも紫外線を発するので、反射によって反射した光も併せて、前方に紫外線が照射される。第１反射部２３の反射によって、第１光源２２から前方および後方に発せられる紫外線が、無駄になることなく、前方に照射される。
【０１０９】
第１絞り部材２４は、第１光源２２の正面（前方）に設けられる。第１絞り部材２４は、複数のスリット２５を有している。この複数のスリット２５によって、第１絞り部材２４は、第１光源２２からの紫外線（第１反射部２３で反射した紫外線も含む）の照射範囲の絞りおよび照射方向の制御の少なくとも一つを行う。
【０１１０】
第１光源２２は、多方向に向けて紫外線を発する。このままでの照射であると、水平照射ユニット２は、室内１００に対して様々な方向に紫外線を照射してしまうことになる。図３、図４のような場合には、水平照射ユニット２は、略水平方向に紫外線を照射する必要がある。
【０１１１】
第１絞り部材２４は、図５に示されるように、複数のスリット２５を備えている。この複数のスリット２５を備えることで、第１光源２２および第１反射部２３からの紫外線は、照射範囲が絞られる。更には照射方向も制御される。結果的には、複数のスリット２５によって、略水平方向に紫外線が照射されるようになる。スリット２５を通る過程で、照射範囲および照射方向が制限されて、結果として、正面であって略水平方向に、紫外線が照射される。
【０１１２】
スリットの狭い幅に合わない紫外線は反射され、スリットを通る間に紫外線の照射角度も狭くなることを繰り返し、結果として、紫外線の直進性が高められて、スリットの方向と角度に合わせて、略水平方向に紫外線を照射するようになる。この結果、第１絞り部材２４は、第１光源２２からの紫外線を、正面であって略水平方向に制御できる。
【０１１３】
ここで、スリット２５は、複数の板材で構成されればよい。この複数の板材の表面が吸光処理されていることも好適である。例えば、吸光性の高い塗料が板部分の表面に塗布されていたり、吸光処理が施された板部分を有する部品で絞り部材４が形成されたりすればよい。
【０１１４】
吸光処理が施されていることで、スリット２５を通る紫外線であって、正面方向以外の角度に照射される紫外線が吸収され、略水平方向以外への紫外線が照射されにくくなるからである。
【０１１５】
このようにして、水平照射ユニット２は、正面であって略水平方向に向けた直進性のある紫外線を照射することができる。これは、図２などに示される通りである。この略水平方向に照射される紫外線は、その照射範囲にある浮遊菌５０を殺菌できる。もちろん、その照射範囲に付着している付着菌５１（例えば、正面の壁に付着している付着菌５１）も、殺菌できる。
【０１１６】
（スリットの工夫）
また、第１絞り部材２４が備える複数のスリット２５において、下方のスリットの間隔は、上方のスリットの間隔よりも広いことも好適である。室内１００に対流する浮遊菌５０は、後述するファンユニットによって室内１００を対流する。あるいは、自然の対流によって、浮遊菌５０は、室内１００の空間を浮遊する。このため、室内１００の下方から上方に向かって移動する浮遊菌５０は、対流等の状況によっては、天井に近い高い位置まで、移動しにくいこともある。この場合には、水平照射ユニット２の低い側に浮遊菌５０が集中する。
【０１１７】
下方のスリット２５の間隔が上方のスリット２５の間隔より広いことで、低い側で照射される紫外線の強度が高まりやすい。低い側に浮遊菌５０が多いことが考えられるので、水平照射ユニット２から水平方向に照射される紫外線は、効率的に浮遊菌５０を殺菌できる。
【０１１８】
（第１光源の工夫）
図６は、本発明の実施の形態１における第１光源の側面図である。図７は、本発明の実施の形態１における第１光源の正面図である。図６、図７に示されるように、第１光源２２では、正面方向の断面長さが、奥行き方向の断面長さよりも大きい。すなわち、図６の正面方向の断面長さＡは、奥行き方向の断面長さＢよりも大きい。すなわち、蛍光管などによって構成される第１光源２２は、略垂直方向よりも正面に向けてより多くの面積での紫外線を照射することができる。
【０１１９】
第１光源２２は、紫外線を発する長手方向と短手方向を有する蛍光管であることも好適である。第１光源２２は、紫外線を発する部材であれば何でもよいが、図７のような長手方向Ｃと短手方向Ｄとを有する蛍光管であることも好適である。蛍光管であることで、より高いエネルギーの紫外線を発することができるからである。
【０１２０】
また、正面から見た状態での長手方向が筐体２１内部において平面方向に沿って格納されることも好適である。このように格納されることで、略垂直方向の断面長さが、奥行き方向の断面長さよりも大きい状態で、第１光源２２が、正面方向にむけてより多くの紫外線を照射できるようになる。
【０１２１】
また、第１光源２２を構成する蛍光管は、短手方向Ｄに沿った幅と短手方向Ｄと交差する厚みを有している。ここで、短手方向Ｄに沿った幅は、厚みよりも大きい。このような構造を有することで、第１光源２２の、略垂直方向での断面長さが奥行き方向での断面長さよりも大きくなる。
【０１２２】
第１光源２２は、蛍光管以外であっても、所望の周波数での紫外線を発することのできる発光素子やこれの集合体でもよい。例えば、ＬＥＤなどの発光素子が羅列された配置を有する構成であってもよい。
【０１２３】
なお、第１光源２２が照射する紫外線の波長の一例としては、２５４ｎｍである。殺菌効果を奏することができれば、これ以外の波長であってもよい。
【０１２４】
（スリットでの直進性の実現）
図８は、本発明の実施の形態１におけるスリットの側面図である。
【０１２５】
図８における矢印Ｅは、第１光源２２からの紫外線の内、スリット２５に略平行な紫外線である。第１光源２２から様々な方向に沿って照射される紫外線の内、スリット２５に略平行な紫外線が、スリット２５の入り口に入って、スリット２５で形成される経路に沿って、スリット２５の出口から出る。すなわち、矢印Ｅに対応する紫外線は、スリット２５に沿って直進性を有する紫外線として、第１絞り部材２４から照射される。
【０１２６】
一方、スリット２５の入り口から入っても、スリット２５の経路に対して大きな角度を有する矢印Ｆに対応する紫外線は、スリット２５内部の壁面で反射する。この反射も、大きな反射角度で反射する。壁面は、吸光性を持っている。大きな反射角度で反射することで、壁面は、矢印Ｆに対応する紫外線を吸収しやすくなる。この吸収が反射の度に繰り返されることで、矢印Ｆに対応する紫外線は、スリット２５の出口から出ない。すなわち、直進方向に比較して、直進方向に対しての交差角度が大きな紫外線は、吸光性のある壁面により吸光されて、角度をもった紫外線が、第１絞り部材２４から照射されないことが実現される。
【０１２７】
一方で、矢印Ｇに対応する紫外線は、矢印Ｅと矢印Ｆの間の入力角度で、スリット２５に入る。このような紫外線は、壁面で反射を繰り返す間に、直進方向に近い角度にならされる。更には、反射角度も小さいので、吸光性のある壁面に吸光されてしまうこともない。矢印Ｇに対応する紫外線は、壁面での反射によって、スリット２５に対する角度を小さくしながら、スリット２５の出口から出る。この結果、矢印Ｇに対応する紫外線は、スリット２５の入り口に入った時よりも、より直進性を持った状態となってスリット２５から照射される。
【０１２８】
このようなプロセスを経て、第１絞り部材２４は、第１光源２２から照射される紫外線の直進性を高める。
【０１２９】
また、第１光源２２は、第１絞り部材２４に近接して設けられることも好適である。この結果、第１絞り部材２４が、より直進性を高めた上で、略水平方向に絞り込んで、紫外線を照射できるからである。また、照射される紫外線の光量とエネルギーを大きなままとすることができるからである。
【０１３０】
（反射板）
図９は、本発明の実施の形態１における室内殺菌装置が取り付けられた室内の模式図である。室内１００には、室内殺菌装置１と対向する壁面１０４に反射板１２が備わっている。
【０１３１】
反射板１２は、第１絞り部材２４を通じて照射される紫外線の照射範囲に対応して、水平照射ユニット１の対向する部分に設けられる。このような位置に反射板１２が設けられることで、水平照射ユニット１が照射した紫外線は、反射板１２によって反射される。照射と反射との紫外線が、同じような範囲に重複することで、この範囲での紫外線による殺菌能力が高まるメリットがある。
【０１３２】
特に、図９のように室内１００の下方から上方に向けて移動する浮遊菌５０は、水平照射ユニット２の照射範囲に移動してくる。この移動してくる浮遊菌５０に対して、高い強度での紫外線を照射できることで、殺菌能力が高まる。特に、浮遊菌５０は、室内１００の上下を移動しており、紫外線の照射範囲に滞在する時間が短い場合もある。このような場合でも、短時間で確実に殺菌できるようになる。
【０１３３】
（下方照射ユニット）
図１０は、本発明の実施の形態１における下方照射ユニットの側面図である。水平方向照射ユニットの説明と同じく、図１０は、内部構造を把握できるように、内部を可視状態として示している。なお、図１０は、下方照射ユニット３の一例の構造であり、その機能と目的を達成できるものであれば、図１０に示される構造に限定されるものではない。
【０１３４】
下方照射ユニット３は、外形を構成し内部に要素を格納する筐体３１、第２光源３２、第２反射部３３、第２絞り部材３４を備える。筐体３１は、外形を構成して、水平照射ユニット２との接続あるいは一体構成によって、室内殺菌装置１を構成する。
【０１３５】
第２光源３２は、第１光源２２と同じく紫外線を発する。第２光源３２は、紫外線領域の光を発する蛍光管などの部材である。このような部材によって、第２光源３２は、紫外線を発して、下方照射ユニット３としての紫外線照射を実現する。
【０１３６】
第２光源３２は、第１光源２２と同様の機能を有していればよい。なお、第２光源３２は、下方照射ユニット３の要素として、斜め下方および下方の少なくとも一つに紫外線を照射するので、第２光源３２の形状や構成は、これに合わせたものであればよい。例えば、複数の蛍光管から構成される場合には、図１０のように斜めに傾いて設置される構成であることも好適である。
【０１３７】
第２反射部３３は、第２光源３２の裏面（後方）に設けられる。第２反射部３３は、紫外線を反射できる反射板などの部材であり、第２光源３２から裏面に向けて発せられた紫外線を反射する。
【０１３８】
第２光源３２は、斜め下方および下方に向けて紫外線を発する。このとき、第２光源３２は、その後方にも紫外線を発するので、第２反射部３３による反射によって、より密度の高い紫外線を、所望の方向に照射することができる。
【０１３９】
第２絞り部材３４は、第２光源３２の正面および下方の少なくとも一部に設けられる。図１０では、第２絞り部材３４は、第２光源３２の正面と下方のそれぞれに設けられている。
【０１４０】
第２絞り部材３４は、複数のスリット３５Ａ〜３５Ｃを有している。複数のスリット３５Ａは、第２光源３２の正面に設けられ、正面から斜め下方に向けた角度をもっている。複数のスリット３５Ｂは、第２光源３２の下方に設けられ、前方斜めに傾いた下方に向けた角度を有している。複数のスリット３５Ｃは、第２光源３２の下方に設けられ、後方斜めに傾いた下方に向けた角度を有している。
【０１４１】
このようなスリット３５Ａ〜３５Ｃを、第２絞り部材３４が備えることで、第２光源３２から発せられた紫外線は、斜め下方および下方の少なくとも一部の広い範囲に照射される。図１０の構成であれば、矢印Ｇ、矢印Ｈ、矢印Ｉのように紫外線が照射される。このような矢印に従った紫外線の照射によって、室内１００において、斜め下方や下方に向けた広い範囲が照射される。
【０１４２】
ここで、スリット３５Ａ〜３５Ｃを備えることで、第２絞り部材３４は、第２光源３２からの紫外線（第２反射部３３で反射した紫外線も含む）の照射範囲の絞りおよび照射方向の制御の少なくとも一方を行う。これの結果が上述の通りの矢印に従った紫外線の照射である。
【０１４３】
スリット３５Ａ〜３５Ｃの狭い幅に合わない紫外線は反射され、スリット３５Ａ〜３５Ｃを通る間に紫外線の照射角度も狭くなることを繰り返し、結果として、紫外線の直進性が高められて、スリット３５Ａ〜３５Ｃの方向と角度に合わせて、紫外線を照射するようになる。この結果、第１絞り部材２４は、第１光源２２からの紫外線を、斜め下方および下方に向けて照射できる。
【０１４４】
ここで、スリット３５Ａ〜３５Ｃは、複数の板材で構成されればよい。この複数の板材の表面が吸光処理されていることも好適である。例えば、吸光性の高い塗料が板部分の表面に塗布されていたり、吸光処理が施された板部分を有する部品で第２絞り部材３４が形成されたりすればよい。
【０１４５】
吸光処理が施されていることで、スリット３５Ａ〜３５Ｃを通る紫外線であって、正面方向以外の角度に照射される紫外線が吸収され、所望の方向に絞り込んだ紫外線の照射が実現できるからである。
【０１４６】
このようにして、下方照射ユニット３は、斜め下方および下方の少なくとも一方に向けて紫外線を照射することができる。これは、図２に示される通りである。この方向に照射される紫外線は、室内１００の浮遊菌５０はもちろんのこと、床面１０１や物体１０２の表面に付着している付着菌５１も、効率的に殺菌できる。
【０１４７】
水平照射ユニット２と合わせて、室内１００の様々な場所にある浮遊菌５０および付着菌５１を万遍なく確実に殺菌できる。病人の入れ替え時の病室の清浄化などにおいては、極めて効率的である。
【０１４８】
図１１は、本発明の実施の形態１における下方照射ユニットの別形態の側面図である。図１１の下方照射ユニット３では、第２絞り部材３４がスリット３５Ｄを備えている。スリット３５Ｄは、下方に向けて設けられている。このため、図１１の下方照射ユニット３は、矢印Ｇの斜め下方に加えて、矢印Ｊの真下にも紫外線を照射できる。
【０１４９】
このように、下方への照射をより真下にすることも、スリット３５の構成によって可能である。
【０１５０】
このとき、スリット３５は、その傾きや角度を変更可能であることも好適である。変更可能であることで、図１０と図１１の構成を、同じ下方照射ユニット３で変化させながら実現できるからである。
【０１５１】
第２絞り部材３４は、角度や傾きを変更可能なスリット３５を備えることで、第２光源３２からの紫外線を斜め方向、下方などに制御して、斜め下方から下方の広い範囲に紫外線を照射させることができる。結果として、室内１００の広い範囲を殺菌することができるようになる。水平照射ユニット２と合わせて、広い範囲を殺菌できる。
【０１５２】
図１２は、本発明の実施の形態１における下方照射ユニットの斜視図である。図１２は、下方照射ユニット３の一例を示している。図１２に示されるように、下方照射ユニット３は、斜め下方および下方に向けて紫外線を照射できる。
【０１５３】
また、水平照射ユニット２と接続される接続部８も備わっている。接続部８は、水平照射ユニット２に下方照射ユニット３を接続して一体化する。もちろん、別体が接続されて一体化されるだけではなく、最初から一体で構成されてもよい。
【０１５４】
次に、各部の詳細について説明する。
【０１５５】
（第２光源）
第２光源３２は、第１光源２２と同じく、紫外線を発することのできる光源である。殺菌能力に優れた波長の紫外線を照射できればよい。例えば、蛍光管が用いられる。使用される波長は、第１光源２２と同様である。
【０１５６】
第２光源３２の形状は、必要な部分においては第１光源２２と同様であればよい。また、第２光源３２は、図１０などに示される通り、斜め下方や下方を照射しやすいように、斜めの傾斜をもっていてもよい。それ以外においては、第１光源２２と同様の構成や機能を持っていればよい。
【０１５７】
第２光源３２は、制御部６によって動作の停止がなされることが多い。室内１００に人体２００が存在する場合には、第２光源３２が停止されるからである（あるいは、後述する第２絞り部材３４が閉鎖されることでもよい）。このため、発光と消灯との切り替えを即座に行えるスイッチを備えていることも好適である。
【０１５８】
制御部６は、このスイッチを動作させて、必要な場合に照射を行い、照射すべきでない場合には消灯を行う。
【０１５９】
（第２反射部）
第２反射部３３は、第２光源３２の裏面に設けられる。第２反射部３３は、第２光源３２の後方に照射される光を反射して、下方照射ユニット３として所望の方向への照射量を増加させることができる。図１０のように、２つの蛍光管が斜めに配置されている第２光源３２の場合には、第２反射部３３は、斜め後方に設置されればよい。あるいは、後方と上方とに設けられてもよい。
【０１６０】
（第２絞り部材）
第２絞り部材３４は、第１絞り部材２４と同じく第２光源３２からの紫外線の照射範囲の絞りおよび照射方向の制御の少なくとも一方を行う。第２絞り部材３４は、斜め下方や下方を向いたスリット３５を備えている。スリット３５は、図８を用いて説明したように、第２光源３２からの紫外線の方向を揃えて、スリット３５によって形成されている角度に合わせる。また、紫外線の方向が揃うことで、直進性が高まり、照射範囲も絞ることができる。
【０１６１】
図１０や図１１のように、スリット３５の向きを、斜め下方や下方にしたり、斜め下方も左右であったりさせることで、照射方向をさまざまに制御できる。室内１００であって、水平照射ユニット２が照射できない範囲を幅広く照射できるようになる。
【０１６２】
また、第２絞り部材３４は、ルーバーのようになっており、そのスリット３５の向きや角度を変更可能であることも好適である。変更可能であることで、図１０の状態と図１１の状態を切り替えることもできる。室内１００や物体１０２の配置状態などに応じて、スリット３５の角度や向きを変更して、照射範囲を変更することも好適である。
【０１６３】
この場合には、制御部６が、スリット３５の角度などを制御すればよい。電子的な信号によって角度制御を行うことなどが考えられる。
【０１６４】
また、スリット３５の開口幅を変更可能に制御することも好適である。開口幅を変えることで、照射レベルが変化できるからである。また、スリット３５の位置によってその開口幅が異なることも好適である。照射量を大きくしたい範囲とそうではない範囲とを、制御することができる。
【０１６５】
（制御部）
制御部６は、上述したように、室内１００に人体２００が存在する場合には、下方照射ユニット３の紫外線照射を停止する。第２光源３２を停止させてもよいし、閉鎖可能な第２絞り部材３４を閉鎖してもよい。このとき、水平照射ユニット２は、動作を継続させてもよいし停止させてもよい。
【０１６６】
一方で、必要な場合や室内１００に人体２００が存在しない場合には、制御部６は、下方照射ユニット３の紫外線照射を実行させる。これにより、室内１００全体を万遍なく殺菌することができる。
【０１６７】
以上のように、実施の形態１における室内殺菌装置１は、浮遊菌５０および付着菌５１を確実かつ万遍なく殺菌できる。加えて、人体２００が存在する場合には、人体２００への照射を行わせないようにするなどの制御が可能である。
【０１６８】
（実施の形態２）
【０１６９】
次に、実施の形態２について説明する。
【０１７０】
実施の形態２では、ファンユニットを備えた室内殺菌装置について説明する。図１は、実施の形態１における図であるが、実施の形態２で説明する室内殺菌装置１と共通する図面である。
【０１７１】
図１では、ファンユニット４が備わっている。ファンユニット４は、本体部７に装着可能である。すなわち、水平照射ユニット２と下方照射ユニット３の組み合わせに対して装着可能である。
【０１７２】
ファンユニット４は、回転するファンを備えており、このファンの回転動作によって、室内１００に空気対流を生じさせる。空気対流を生じさせることで、室内１００の床面１０１や物体１０２の表面に付着している付着菌５１を室内空間に移動させて浮遊させることができる。あるいは、浮遊している浮遊菌５０をより高い位置に移動させることができる。ここで、空気の対流で直接付着菌がはぎとられなくても、空気対流によって、物体１０２の表面の水分が減少して、付着菌が浮遊しやすくなることもある。この浮遊によって、付着菌に対する紫外線照射がより効率的になり、殺菌作用が高まることとしてみなしてもよい。
【０１７３】
このような付着菌５１や浮遊菌５０の移動によって、水平照射ユニット２による照射範囲に細菌等を置くことができる。水平照射ユニット２は、人体２００がある場合でも動作を維持しており、人体２００がいる場合でも殺菌を続けることができる。下方照射ユニット３の照射範囲にあって人体２００の存在によって照射できない場合には、常時動作できる水平照射ユニット２によって殺菌できる。
【０１７４】
ファンユニット４は、室内１００の様々な場所の細菌等を、水平照射ユニット２の照射範囲に移動させて、細菌等を効果的に殺菌できる。
【０１７５】
また、床面１０１や物体１０２に付着している付着菌５１は、物陰に隠れる場所にあったりして、下方照射ユニット３により照射された紫外線が届かないこともある。ファンユニット４は、室内１００に対流を生じさせるので、これら物陰に付着している（あるいは浮遊している）細菌等を室内１００の上方に移動させることができる。この移動によって、水平照射ユニット２および下方照射ユニット３による紫外線の照射で殺菌を行うことができる。
【０１７６】
図１３は、本発明の実施の形態２におけるファンユニットの斜視図である。
【０１７７】
ファンユニット４は、ファン４１と排気口４２とを備える。ファン４１と排気口４２の位置関係およびファン４１の回転方向によって、ファンユニット４は、室内１００の上方から空気を吸引して下方に空気を排出する（放出する）。この結果、室内１００では、上方から下方に向けた空気の流れを基点として、下方から上方に向けた空気の流れに繋がる対流が生じる。
【０１７８】
特に、室内殺菌装置１が取り付けられた側では、上方から下方に向けた空気の流れが生じ、逆側では下方から上方に向けた空気の流れが生じる。この結果、室内殺菌装置１から遠い側では、細菌等が上方に移動しやすくなり、紫外線照射を確実に行えるようになる。
【０１７９】
また、空気の対流によって、物体１０２の表面などからはぎ取られた細菌等が、浮遊状態となって、浮遊菌５０として紫外線照射を受けることができる。この結果、確実に殺菌ができるようになる。ここで、空気の対流で直接付着菌がはぎとられなくても、空気対流によって、物体１０２の表面の水分が減少して、付着菌が浮遊しやすくなることもある。この浮遊によって、付着菌に対する紫外線照射がより効率的になり、殺菌作用が高まることとしてみなしてもよい。
【０１８０】
ファンユニット４は、水平照射ユニット２の内部空間および下方照射ユニット３の内部空間の少なくとも一部の空気を外部と循環させる。この循環によって、内部に取り込まれた空気に含まれる細菌等が、第１光源２２や第２光源２３からの直接的な紫外線の照射によって殺菌される。殺菌能力が更に高まるメリットがある。
【０１８１】
このようにファンユニット４が設けられることで、室内１００に対流がもたらされて細菌等の循環が起こり、紫外線による照射効果が高まる。特に、水平照射ユニット２での殺菌範囲に入ることで、細菌等の殺菌効率が高まる。
【０１８２】
なお、制御部６は、このファンユニット４を制御しつつ、人体２００の存在と非存在に合わせて、水平照射ユニット２や下方照射ユニット３からの紫外線照射を実現することも好適である。
【０１８３】
なお、ファン４１の回転方向を変えることで、排気口４２が吸気口となって、下方から上方に向けた空気の対流を生じさせてもよい。室内１００の形態や状況に応じて、細菌等を浮遊させて殺菌することができるようになるからである。
【０１８４】
以上のように、実施の形態２の室内殺菌装置１は、室内の細菌等を紫外線照射範囲に誘導して効率的に殺菌できる。
【０１８５】
なお、実施の形態１〜２で説明された室内殺菌装置は、本発明の趣旨を説明する一例であり、本発明の趣旨を逸脱しない範囲での変形や改造を含む。
【符号の説明】
【０１８６】
１    室内殺菌装置
２    水平照射ユニット
２１    筐体
２２    第１光源
２３    第１反射部
２４    第１絞り部材
２５    スリット
３    下方照射ユニット
３１    筐体
３２    第２光源
３３    第２反射部
３４    第２絞り部材
３５    スリット
４    ファンユニット
４１    ファン
４２    排気口
５    本体部
６    制御部
８    接続部
【図１】
2018130535.tif 000003
【図２】
2018130535.tif 000004
【図３】
2018130535.tif 000005
【図４】
2018130535.tif 000006
【図５】
2018130535.tif 000007
【図６】
2018130535.tif 000008
【図７】
2018130535.tif 000009
【図８】
2018130535.tif 000010
【図９】
2018130535.tif 000011
【図１０】
2018130535.tif 000012
【図１１】
2018130535.tif 000013
【図１２】
2018130535.tif 000014
【図１３】
2018130535.tif 000015